(57)【要約】【課題】調光フィルムを透明基板に積層した構成の反射型スクリーンにおいて、調光フィルムの調光層にて生じた透過光や散乱光が透明基板により反射されることによって生じる投影画像の滲みによる鮮明度の劣化を抑制することができる反射型スクリーンを提供することを課題とする。【解決手段】透明基材上に透明導電膜を備えた一対の透明導電基材２の透明導電膜を内側にして、液晶材料を含有する調光層３を狭持した調光フィルム１と、調光フィルムを支持する透明基板４と、反射防止層７と、をこの順に積層したことを特徴とする反射型スクリーン１０。【選択図】図１
2019184693.tif 000002
【特許請求の範囲】
【請求項１】
透明基材上に透明導電膜を備えた一対の透明導電基材の透明導電膜を内側にして、液晶材料を含有する調光層を狭持した調光フィルムと、
調光フィルムを支持する透明基板と、
反射防止層と、をこの順に積層したことを特徴とする反射型スクリーン。
【請求項２】
前記反射防止層が、モス・アイ構造または屈折率１．４３以下の低屈折率層からなることを特徴とする請求項１に記載の反射型スクリーン。
【請求項３】
前記透明基板の厚さが、０．３ｍｍ以上、２５．０ｍｍ以下であることを特徴とする請求項１または２に記載の反射型スクリーン。
【発明の詳細な説明】
【技術分野】
【０００１】
本発明は、光の透明、不透明状態を切り替える事ができる調光フィルムを使用した反射型スクリーンに関する。
【背景技術】
【０００２】
近年、高分子ネットワーク型液晶や高分子分散型液晶などを用いた調光フィルムが、建物などの調光機能を備えた窓や電子ブラインドとして使用されている。また打合せスペースに設置する透明、不透明の切り替え可能な衝立として使用され始めている。
【０００３】
調光フィルムは、２枚の透明導電基材の透明導電膜側を向い合わせにして、液晶材料からなる調光層を狭持した積層体である。この積層体の透明導電膜間に適切な交流電圧を印加すると調光層が透明（光を散乱しない状態）になり、電圧を切ると不透明（光を散乱する状態）になるノーマルモードの調光フィルムが知られている。また、その逆に交流電圧を印加すると不透明になり、電圧を切ると透明になるリバースモードの調光フィルムが知られている。
【０００４】
その様な調光フィルムを使用したスクリーンとしては、図２に例示したような層構成の反射型スクリーン２０が考えられる。単に調光フィルム１と透明基板４を積層した構成である。この様な構成のスクリーンを透過型スクリーンとして使用する場合は問題無いが、反射型スクリーンとして使用する場合は、図２に示したように反射光が投影画像に映り込み、画像が滲む問題がある。太い実線で示した投射装置６から調光フィルム１に入射した投射光は、調光層３にて反射され観察者５によって観察される。同時に透過光と散乱光を生じる。透過光は位置Ａにて透過光と反射光を生じる。散乱光は観察者５側に散乱されるものと透明基板４側に散乱されるものが生じる。透明基板４側に散乱された光は、例えば位置ＢとＣにて透過光と反射光を生じる。
この様に、透明基板４や調光層３にて生じる反射光によって、反射型スクリーンに映し出される投影画像に滲みが生じ、鮮明度が劣化することになる。
【０００５】
この様な反射型スクリーンの鮮明度を改善する技術として、特許文献１には、図３に例示したような層構成を備えた反射型スクリーン３０が開示されている。この技術は、プロジェクタにより投影される映像を鮮明に見ることができると共に、映像を投影しない場合は、透明性が高い反射型のプロジェクタースクリーンを提供する事を課題として、プロジェクタ（投射装置）の光源に対して高分子分散型液晶層（調光層３）よりも外側（透明基板４の調光フィルム１が積層された側とは反対側）に透明反射層８が設けられた構成の反射型スクリーン３０である。更に詳しくは、透明基材、透明電極、高分子分散型液晶層、透明電極、透明基材、透明反射膜の順で積層されてなる反射型スクリーンである。
【０００６】
しかしながら、この技術においては、プロジェクタからの投射光が調光層に入射した後、反射、透過および散乱するが、透過および散乱によって透明基板４の外側（調光フィルム１とは反対側）の表面に形成された透明反射層８により、透明反射層８が無い場合より強く反射されるため輝度が上がるが、調光層３で生じた散乱光は図２の場合と本質的に変わらないと考えられる。従って、画像の滲みによる鮮明度の劣化を防ぐことは困難であると考えられる。
【先行技術文献】
【特許文献】
【０００７】
【特許文献１】特開２０１６−１０９９５３号公報
【発明の概要】
【発明が解決しようとする課題】
【０００８】
上記の事情に鑑み、本発明は調光フィルムを透明基板に積層した構成の反射型スクリーンにおいて、調光フィルムの調光層にて生じた透過光や散乱光が透明基板により反射されることによって生じる投影画像の滲みによる鮮明度の劣化を抑制することができる反射型スクリーンを提供することを課題とする。
【課題を解決するための手段】
【０００９】
上記の課題を解決する手段として、本発明の第一の態様は、透明基材上に透明導電膜を備えた一対の透明導電基材の透明導電膜を内側にして、液晶材料を含有する調光層を狭持した調光フィルムと、
調光フィルムを支持する透明基板と、
反射防止層と、をこの順に積層したことを特徴とする反射型スクリーンである。
【００１０】
調光フィルムと透明基板と反射防止層をこの順に積層した反射型スクリーンにおいて、調光フィルム側から投射装置からの投射光が入射すると、投射光は調光フィルムの調光層で反射、透過および散乱する。透過光および透明基板側に散乱した散乱光は、各層の境界面にて反射され、観察者によって観察される。また調光層で生じた散乱光のうち観察者側に散乱した散乱光も観察者により観察される。特に透過光は散乱光と比較して高い強度を持っているため、透明基板の外側（調光フィルムとは反対側）が空気などの場合は強く反射するため、観察者によって視認され易い。しかしながら、本発明の反射型シートにおいては、透明基板の外側に反射防止層が備えられているため、反射が低減され、強い反射光が観察者によって視認されることはない。
【００１１】
また、第二の態様は、前記反射防止層が、モス・アイ構造または屈折率１．４３以下の低屈折率層からなることを特徴とする第一の態様に記載の反射型スクリーンである。
【００１２】
透明基材と屈折率１．４３以下の低屈折率層の界面においては反射率が著しく低減される。またモス・アイ構造からなる反射防止層であっても透明基材との界面における反射率が著しく低減される。
【００１３】
また、第三の態様は、前記透明基材の厚さが、０．３ｍｍ以上、２５．０ｍｍ以下であることを特徴とする第一または第二の態様に記載の反射型スクリーンである。
【発明の効果】
【００１４】
本発明の反射スクリーンは、調光フィルムと透明基板と反射防止層がこの順に積層されているため、調光フィルム側から入射した光は、調光フィルムの調光層によって反射、透過、散乱された光のうち、透明基板側に進んだ透過光と散乱光は、反射防止層があるため反射を著しく抑制される。そのため、反射光によって形成される画像の滲みが抑制され、鮮明な画像を得ることができる。
【図面の簡単な説明】
【００１５】
【図１】本発明の反射型スクリーンの層構成を例示する断面説明図。
【図２】従来の反射型スクリーンの層構成を例示する断面説明図。
【図３】従来の反射型スクリーンの層構成を例示する断面説明図。
【発明を実施するための形態】
【００１６】
本発明の反射型スクリーンを、図１を用いて説明する。
本発明の反射型スクリーン１０は、透明基材（透明樹脂フィルム）上に透明導電膜を備
えた一対の透明導電基材２の透明導電膜を内側にして、液晶材料を含有する調光層３を狭持した調光フィルム１と、調光フィルム１を支持する透明基板４と、反射防止層７と、をこの順に積層した反射型スクリーンである。
【００１７】
（透明導電基材）
透明導電基材２は、透明基材上に透明導電膜を形成したものである。透明基材としては、透明な樹脂フィルムや樹脂シートを好適に使用することができる。樹脂材料としては特に限定する必要はなく、光透過率が例えば８０％以上の樹脂材料であれば使用することができる。例えば、ポリエチレンテレフタレート（ＰＥＴ）、ポリカーボネート（ＰＣ）、ポリ（メタ）アクリレート、ポリエステル、ポリイミド、ポリアミド、などを挙げることができるが、これらに限定するものではない。熱硬化性の樹脂も使用することができる。
【００１８】
これらの透明樹脂材料を、フィルム状またはシート状に加工することにより、透明樹脂フィルムや透明樹脂シートを作製することができる。
【００１９】
（調光層）
調光層３は、液晶材料を含有する材料からなる層である。調光層３にはノーマルタイプとリバースタイプが知られている。ノーマルタイプの調光層は、透明導電基材の透明導電膜側を内側にして液晶材料を狭持した積層体であり、透明導電膜間に交流電圧を印加することによって透明な状態とすることができ、電圧を印加していない状態では不透明な状態とすることができる。リバースタイプの調光層は、逆に、透明導電膜間に交流電圧を印加していない時に透明な状態とすることができ、電圧を印加していない状態では透明な状態とすることができる。
【００２０】
本発明の反射型スクリーン１０においては、いずれのタイプの調光層３であっても構わない。
【００２１】
（透明基板）
透明基板４は、透明で自立可能な透明な材料からなる基板であれば特に限定する必要は無い。従って、材料としは、各種のガラスを好適に使用可能であるが、同等以上の透明性と自立性（自立可能な機械的な強度）を備えていれば、透明樹脂基板であっても良い。
【００２２】
また、透明基板４の屈折率が高いほど反射防止層７として機能する低屈折率層を容易に選択できるようになる。例えば、屈折率が１．５程度のソーダ石灰ガラスを使用した場合、低屈折率層としては、屈折率が１．５以下のフッ化マグネシウム、二酸化ケイ素などの無機物の他、フッ素樹脂、シリコーン樹脂、ポリプロピレン、ウレタン、アクリルガラスなどの高分子材料を使用することができる。
【００２３】
（反射防止層）
反射防止層７としては、各種の反射防止層を適用可能である。単層、複数層からなる反射防止層、モス・アイ構造からなる反射防止層、などを挙げることができる。
【００２４】
単層からなる反射防止層７としては、透明基板４より小さい屈折率（１．４３以下）の低屈折率層であれば良い。また、反射率の波長依存線はあるが、反射防止層７を２層、３層などの複数層からなる反射防止層とすることにより、最低反射率を更に低減することも可能である。
【００２５】
モス・アイ構造の反射防止層を使用することも可能である。モス・アイ構造とは、１５０ｎｍ未満の周期ピッチで、高さが数百ｎｍの凹凸構造によって反射防止機能が発現する反射防止構造を指す。
【００２６】
前記したような光アスペクトの凹凸構造を高密度に形成する必要があるため、電子ビーム露光装置により電子ビームレジストの露光を行い、現像後、異方性が高いドライエッチング技術によって原版を作製し、その原版または複製版を使用して、ナノインプリントモールド技術を用いて作製することができる。
【００２７】
或いは、グラッシーカーボン膜を基材上に形成しておき、そのグラッシーカーボン膜にＥＣＲ型イオンシャワー加工装置を用いて酸素イオンビームを照射することにより、微細な凹凸構造を形成できることが知られている。
【００２８】
このようなモス・アイ構造からなる反射防止層７を透明基板４側に向けて積層する事によって、反射防止層を形成することができる。
【実施例】
【００２９】
次に、本発明の実施例について説明する。
【００３０】
＜実施例１＞
調光フィルムとしてノーマルモードの接着層付のＬＣ  ＭＡＧＩＣ（凸版印刷株式会社製）を用意した。また、透明基材としてソーダ石灰ガラス（屈折率１．５１）を用意した。ソーダ石灰ガラス（ガラス基板）の厚さは、０．３ｍｍとした。
【００３１】
反射防止層としてモス・アイ構造の反射防止層を使用した。モス・アイ構造の反射防止層としては、トリアセチルセルロース（ＴＡＣ）フィルム上に円錐形構造体を形成したものを使用した。円錐形構造体は底面の直径が２５０ｎｍ、高さが５００ｎｍの円錐形構造体を底面が互いに接する様に形成した。このような円錐形構造体は、ＴＡＣフィルム上に直径２５０ｎｍの円形パターンを互いに周縁部が接した状態のレジストパターンを形成後、酸素ガスを使用した反応性イオンエッチング装置を用いてドライエッチングすることによって形成した。
【００３２】
このモス・アイ構造が形成された面と反対の面を、粘着層を介してガラス基板に接着した。
【００３３】
以上の様にして作製した反射型スクリーンを使用してプロジェクタから投射した画像を目視により観察し、二重像が観察されるかどうか、即ち鮮明度を評価した。
鮮明度の評価方法は、反射型スクリーンとプロジェクタの距離を１ｍとし、プロジェクタから静止画像をスクリーンに投影した。観察者はプロジェクタと同じ側に立ち、スクリーンから２ｍの距離にてスクリーン上の画像を観察することにより、目視にて画像の鮮明度を評価した。
【００３４】
＜実施例２＞
ガラス基板の厚さを０．７ｍｍとした以外は実施例１と同様とした。
【００３５】
＜実施例３＞
ガラス基板の厚さを３．０ｍｍとした以外は実施例１と同様とした。
【００３６】
＜実施例４＞
ガラス基板の厚さを１０．０ｍｍとした以外は実施例１と同様とした。
【００３７】
＜実施例５＞
ガラス基板の厚さを２５．０ｍｍとした以外は実施例１と同様とした。
【００３８】
＜実施例６＞
反射防止層として、ＴＡＣフィルム上に多孔質シリカ微粒子を含有する塗布液を塗布し、乾燥することにより低屈折率層を形成した。この低屈折率層側をガラス基板に接着層を介して貼り合せることにより、ガラス基板に低屈折率層を形成した。この低屈折率層の屈折率は１．３４、膜厚は１００ｎｍであった。
【００３９】
このガラス基板の低屈折率層が形成された面とは反対側の面に、調光フィルムＬＣ  ＭＡＧＩＣの粘着層が形成された面の剥離紙を剥がしながら、ＬＣ  ＭＡＧＩＣを貼り合せることにより、反射型スクリーンを作製した。ガラス基板の厚さは０．３ｍｍとした。それ以外は実施例１と同様とした。
【００４０】
＜実施例７＞
ガラス基板の厚さを０．７ｍｍとした以外は、実施例６と同様とした。
【００４１】
＜実施例８＞
ガラス基板の厚さを３．０ｍｍとした以外は、実施例６と同様とした。
【００４２】
＜実施例９＞
ガラス基板の厚さを１０．０ｍｍとした以外は、実施例６と同様とした。
【００４３】
＜実施例１０＞
ガラス基板の厚さを２５．０ｍｍとした以外は、実施例６と同様とした。
【００４４】
＜比較例１＞
反射防止層を備えなかったこと以外は、実施例１と同様とした。
【００４５】
＜比較例２＞
反射防止層を備えなかったこと以外は、実施例２と同様とした。
【００４６】
＜比較例３＞
反射防止層を備えなかったこと以外は、実施例３と同様とした。
【００４７】
＜比較例４＞
反射防止層を備えなかったこと以外は、実施例４と同様とした。
【００４８】
＜比較例５＞
反射防止層を備えなかったこと以外は、実施例５と同様とした。
【００４９】
＜比較例６＞
反射防止層を備えなかったこと以外は、実施例６と同様とした。
【００５０】
＜比較例７＞
ガラス基板の厚さを３０．０ｍｍとした以外は実施例１と同様とした。
【００５１】
＜比較例８＞
ガラス基板の厚さを３０．０ｍｍとした以外は、実施例６と同様とした。
【００５２】
以上、実施例１〜１０および比較例１〜８の二重像に関する目視観察の結果を表１に示した。
【００５３】
【表１】
2019184693.tif 000003
【００５４】
＜評価結果＞
表１は、ガラス基板に調光フィルムを積層した自立型の反射型スクリーンにおいて、ガラス基板の調光フィルムとは反対側の面にモス・アイ構造または低屈折率層からなる反射防止層を形成した反射型スクリーンが、どの程度の二重画像防止効果（鮮明度を良くする効果）を持っているか、を評価した結果である。
反射防止層として、モス・アイ構造を使用した実施例１〜実施例５においては、全て二重像観察結果はＡとなり、二重像は観察されなかった。
反射防止層として、低屈折率層を形成した実施例６〜実施例１０においては、実施例７と実施例８では二重像観察結果はＢとなったが、観察された二重画像としては極めて幽かなレベルであった。それら以外においては、二重画像は観察されず、観察結果はＡとなった。
反射防止層が無い比較例１〜比較例５においては、二重像観察結果はＢまたはＣとなり、Ａとなったものは無かった。また、Bと評価されたものも、反射防止層として低屈折率層を備えた場合の二重画像のレベルより明確に視認できるレベルであった。
以上の結果は、ガラス基板の厚さが０．３ｍｍ以上、２５．０ｍｍ以下の範囲における結果であった。ガラス基板の厚さが３０ｍｍである比較例６〜比較例８においては、二重像観察結果は全てＡであった。この結果はガラス基板の厚さが２５．０ｍｍを超えた場合は、反射防止層の有無に関わらず、二重像は観察されないことを示している。一方、ガラス基板の厚さが０．３ｍｍ以上、２５．０ｍｍ以下の範囲においては、調光フィルムが備えられた側とは反対側に反射防止層を備えることにより、二重像の発現が抑制され、鮮明な画像を得ることができることを示している。ガラス基板の厚さが０．３ｍｍより薄い場合は、ガラス基板の機械的な強度が不十分となるため、使用する事が困難となる。
【符号の説明】
【００５５】
１・・・調光フィルム
２・・・透明導電基材
３・・・調光層
４・・・透明基板
５・・・観察者
６・・・投射装置
７・・・反射防止層
８・・・透明反射層
Ａ、Ｂ、Ｃ・・・入射位置
１０、２０、３０・・・反射型スクリーン
【図１】
2019184693.tif 000004
【図２】
2019184693.tif 000005
【図３】
2019184693.tif 000006